(57)【要約】【課題】  鑑賞者の表示面に対する位置に応じて鑑賞者に異なる画像を視認させる画像表示装置をカラー化した場合における表示特性の向上を図る。【解決手段】  表示面に表示される視差画像の配列方向に応じて複数のプロジェクタが配列され、上記複数のプロジェクタが表示面上に形成する上記視差画像のうち所定の画像を視差画像選択手段によって選択的に鑑賞者に到達させる画像表示装置であって、各プロジェクタ１ａ〜１ｊは、時系列で射出される複数の色光を変調して画像光として射出することによって上記表示面上に上記視差画像を構成する１つの画像を形成する。【選択図】              図４
2007072050.tif 000002
【特許請求の範囲】
【請求項１】
表示面に表示される視差画像の配列方向に応じて複数のプロジェクタが配列され、前記複数のプロジェクタが表示面上に形成する前記視差画像のうち所定の画像を視差画像選択手段によって選択的に鑑賞者に到達させる画像表示装置であって、
各前記プロジェクタは、時系列で射出される複数の色光を変調して画像光として射出することによって前記表示面上に前記視差画像を構成する１つの画像を形成することを特徴とする画像表示装置。
【請求項２】
異なる色光を射出する光源を各々備え、該光源を時系列で間欠駆動することによって、前記複数の色光を時系列で射出する光源装置を備えることを特徴とする請求項１記載の画像表示装置。
【請求項３】
前記光源は、固体発光光源であることを特徴とする請求項２記載の画像表示装置。
【請求項４】
前記光源として、赤色の色光を射出する赤色光源と、緑色の色光を射出する緑色光源と、青色の色光を射出する青色光源とを備えることを特徴とする請求項２または３記載の画像表示装置。
【請求項５】
隣合うプロジェクタから同時刻で射出される画像光の色調が異なることを特徴とする請求項１〜４いずれかに記載の画像表示装置。
【請求項６】
前記視差画像選択手段は、前記表示面に対して接触配置されるレンチキュラーレンズであることを特徴とする請求項１〜５いずれかに記載の画像表示装置。
【請求項７】
表示面に表示される視差画像の配列方向に応じて複数のプロジェクタが配列され、前記複数のプロジェクタが表示面上に形成する前記視差画像のうち所定の画像を選択的に鑑賞者に到達させる画像表示方法であって、
各前記プロジェクタが、時系列で射出される複数の色光を変調して画像光として射出することによって前記表示面上に前記視差画像を構成する１つの画像を形成することを特徴とする画像表示方法。
【発明の詳細な説明】
【技術分野】
【０００１】
本発明は、画像表示装置及び画像表示方法に関するものである。
【背景技術】
【０００２】
画像表示装置の中には、鑑賞者の表示面に対する位置に応じて鑑賞者に異なる画像を視認させるものがある。
このような画像表示装置としては、例えば、鑑賞者の右目の位置と鑑賞者の左目の位置とに異なる画像（視差画像）を選択的に視認させることによって、立体画像を鑑賞者に視認させるものや、異なる角度から表示面を見る複数の鑑賞者に異なるコンテンツの画像を視認させるものがある。
【０００３】
例えば、非特許文献１には、鑑賞者に動的立体視可能な立体画像を視認させる画像表示装置の具体的な構成が記載されている。なお、ここで言う動的立体視とは、鑑賞者の鑑賞位置の変化に応じて、鑑賞者が視認する立体像の視認角度が変化する立体視のことである。
具体的には、非特許文献１においては、視差画像の配列方向に応じた方向に複数のプロジェクタを配置し、凹面鏡（視差画像選択手段）を用いて鑑賞者の右目と左目とに選択的に複数のプロジェクタによって形成される画像のうち所定の画像を選択的に視認させることによって、鑑賞者に立体画像を視認させている。そして、このような画像表示装置においては、鑑賞者が鑑賞位置を変えれば、異なる画像が鑑賞者の右目と左目とに視認されるため、この画像をその鑑賞位置に応じた立体像の画像にすることによって、動的立体視が可能な構成とされている。
【特許文献１】特開平５−１０７５０４号公報
【特許文献２】特開２００３−１４００８３号公報
【非特許文献１】「投影光学系扇形配列による立体映像表示装置の開発」３次元画像コンファレンス２００１  講演番号７−３
【非特許文献２】「６４眼式三次元カラーディスプレイとコンピューター合成した三次元物体の表示」３次元画像コンファレンス２００２  講演番号５−３
【発明の開示】
【発明が解決しようとする課題】
【０００４】
このような動的立体視可能な画像表示装置は、鑑賞者に対して、より現実空間と同様な自然な立体像を提供することが可能であるため、今後、表示特性を向上させる技術がさらに開発されていくものと思われる。
例えば、上述のような動的立体視が可能な画像表示装置においては、鑑賞者の位置変化量が小さい場合でも、鑑賞者の右目と左目とに視認される画像を変化可能な構成とすることが、より現実空間と同様の自然な立体像を鑑賞者に視認させるために重要なこととなる。このため、非特許文献２には、プロジェクタを上下方向にずらして配置することによって、直線状にプロジェクタを配置した場合には、プロジェクタの形状から物理的に配置不可能である間隔でプロジェクタを配置する技術が開示されている。この技術によれば、より多くの視差画像を表示面上に表示することができるため、鑑賞者の位置変化量が小さい場合でも、鑑賞者の右目と左目とに視認される画像を変化させることが可能となり、表示特性を向上させることが可能となる。
【０００５】
また、より現実空間と同様な自然な立体像を提供するためには、立体画像のカラー化も重要な要件となってくる。
ところが、立体画像をカラー化する場合には、各プロジェクタにカラーフィルタを有する光変調素子を搭載する必要が生じる。このため、光変調素子のサイズが同一である場合には、単色表示の場合と比較して、各色に対する光変調素子の画素数が減少し、画像の解像度が低下してしまう。
そして、現状においては、立体画像をカラー化した場合における表示特性を向上させる技術は提案されていない。このため、カラー化した場合における表示特性の向上技術の提案が望まれている。
【０００６】
本発明は、上述する問題点に鑑みてなされたもので、鑑賞者の表示面に対する位置に応じて鑑賞者に異なる画像を視認させる画像表示装置をカラー化した場合における表示特性の向上を図ることを目的とする。
【課題を解決するための手段】
【０００７】
上記目的を達成するために、本発明の画像表示装置は、表示面に表示される視差画像の配列方向に応じて複数のプロジェクタが配列され、上記複数のプロジェクタが表示面上に形成する上記視差画像のうち所定の画像を視差画像選択手段によって選択的に鑑賞者に到達させる画像表示装置であって、各上記プロジェクタは、時系列で射出される複数の色光を変調して画像光として射出することによって上記表示面上に上記視差画像を構成する１つの画像を形成することを特徴とする。
【０００８】
このような特徴を有する本発明の画像表示装置によれば、各上記プロジェクタが、時系列で射出される複数の色光を変調して画像光として射出することによって上記表示面上に上記視差画像を構成する１つの画像が形成される。
このため、プロジェクタが色光ごとに変調素子の全領域を用いて変調することができるため、表示面上に表示される画像の解像度を低下させることを防止することができる。
したがって、本発明の画像表示装置によれば、鑑賞者の表示面に対する位置に応じて鑑賞者に異なる画像を視認させる画像表示装置をカラー化した場合における表示特性の向上を図ることが可能となる。
【０００９】
また、本発明の画像表示装置においては、具体的には、異なる色光を射出する光源を各々備え、該光源を時系列で間欠駆動することによって、上記複数の色光を時系列で射出する光源装置を備えるという構成を採用することができる。
さらに、上記光源が、固体発光光源であるという構成を採用した場合には、各固体発光光源が間欠駆動されるため、固体発光光源の長寿命化を図ることができる。
また、上記光源として、赤色の色光を射出する赤色光源と、緑色の色光を射出する緑色光源と、青色の色光を射出する青色光源とを備えるという構成を採用することによって、フルカラー表示が可能となる。
【００１０】
また、本発明の画像表示装置においては、隣合うプロジェクタから同時刻で射出される画像光の色調が異なるという構成を採用することが好ましい。
このような構成を採用することによって、表示面全体としての輝度変化量を低減することができ、フリッカーを低減させることが可能となる。
【００１１】
また、本発明の画像表示装置においては、具体的には、上記視差画像選択手段が、上記表示面に対して接触配置されるレンチキュラーレンズであるという構成を採用することができる。
【００１２】
次に、本発明の画像表示方法は、表示面に表示される視差画像の配列方向に応じて複数のプロジェクタが配列され、上記複数のプロジェクタが表示面上に形成する上記視差画像のうち所定の画像を選択的に鑑賞者に到達させる画像表示方法であって、各上記プロジェクタが、時系列で射出される複数の色光を変調して画像光として射出することによって上記表示面上に上記視差画像を構成する１つの画像を形成することを特徴とする。
【００１３】
このような特徴を有する本発明の画像表示方法によれば、各上記プロジェクタが、時系列で射出される複数の色光を変調して画像光として射出することによって上記表示面上に上記視差画像を構成する１つの画像が形成される。
このため、プロジェクタが色光ごとに変調素子の全領域を用いて変調することができるため、表示面上に表示される画像の解像度を低下させることを防止することができる。
したがって、本発明の画像表示装置によれば、鑑賞者の表示面に対する位置に応じて鑑賞者に異なる画像を視認させる画像表示装置をカラー化した場合における表示特性の向上を図ることが可能となる。
【発明を実施するための最良の形態】
【００１４】
以下、図面を参照して、本発明に係る画像表示装置及び画像表示方法の一実施形態について説明する。なお、以下の図面において、各部材を認識可能な大きさとするために、各部材の縮尺を適宜変更している。
【００１５】
（第１実施形態）
図１及び図２は、本第１実施形態の画像表示装置Ｓ１の概略構成を示した模式図であり、図１が画像表示装置Ｓ１を上側から見た平面図、図２が側面図である。
これらの図に示すように、本実施形態の画像表示装置Ｓ１は、複数のプロジェクタ１と、制御装置２と、スクリーン３と、レンチキュラーレンズ４とを備えて構成されている。
【００１６】
プロジェクタ１は、スクリーン３上に形成される視差画像の配列方向（本実施形態においては、図１の紙面上下方向）に応じて配列されている。そして、各プロジェクタ１によってスクリーン３上に画像が投射され、これらの画像がスクリーン３に配列して表示されることによってスクリーン３上に視差画像が形成される。
なお、視差画像とは、広い意味では、視認した際に差のある画像、すなわち異なる画像のことを示すが、本実施形態においては、同一の物体を異なる角度から捉えた画像が視差画像として用いられている。
【００１７】
図３は、プロジェクタ１の概略構成を側方から示した模式図である。
プロジェクタＲ，Ｇ，Ｂは、図３に示すように、光源装置１００と、インテグレータ２００と、ＰＢＳアレイ３００と、集光レンズ４００と、液晶ライトバルブ５００と、投射レンズ６００とを備えて構成されている。
【００１８】
光源装置１００は、異なる色光（複数の色光）を射出するものであり、赤色光を射出する赤色光源１０１と、緑色光を射出する緑色光源１０２と、青色光を射出する青色光源１０３とを備えて構成されている。そして、本実施形態の画像表示装置Ｓ１においては、これらの各光源１０１〜１０３が固体発光光源の１つであるＬＥＤ（発光ダイオード）光源から構成されている。
【００１９】
インテグレータ２００は、光源１００から射出された光が後段の液晶ライトバルブ５００上において照度分布が均一となるようにするためのものであり、本実施形態においては、２つのフライアイレンズ２０１，２０２によって構成されている。なお、インテグレータ２００としては、ロッドレンズ等を用いることもできる。
【００２０】
ＰＢＳアレイ３００は、偏光ビームスプリッタがアレイ状に配列された光学素子であり、光源１００から射出された光の偏光方向を一方向に合わせて射出するものである。なお、本実施形態においては、ＰＢＳアレイ３００は、光源１００からの光の偏光方向を後段の液晶ライトバルブ５００に入射可能な偏光方向に合わせて射出する。
また、集光レンズ４００は、光源１００からの光を液晶ライトバルブ５００に集光するためのものである。
【００２１】
液晶ライトバルブ５００は、入射される光、すなわち光源１００からの光を輝度変調して射出するものである。なお、液晶ライトバルブ５００は、外部から入力される画像信号に基づいて駆動され、本実施形態においては、制御装置２から入力される画像信号に基づいて駆動される。
投射レンズ６００は、液晶ライトバルブ５００によって変調された光源１００からの光を画像光としてスクリーン３に向けて投射するものである。
【００２２】
図１及び図２に戻り、制御装置２は、各プロジェクタ１ａ〜１ｊを制御するものであり、具体的には、各プロジェクタ１ａ〜１ｊに画像信号を供給している。制御装置２には、例えば、予め表示する立体画像の３次元データが記憶されており、この３次元データの中から適したデータを各プロジェクタ１ａ〜１ｊの液晶ライトバルブ５００に供給する。
【００２３】
また、制御装置２は、各プロジェクタ１ａ〜１ｊの光源装置１００の動作も制御しており、具体的には、光源装置１００が備える赤色光源１０１、緑色光源１０２及び青色光源１０３の点灯動作及び消灯動作を制御している。そして、本実施形態の画像表示装置Ｓ１においては、制御装置２によって、各光源１０１〜１０３が時系列で間欠駆動されることで、光源装置１００から複数の色光（赤色光、緑色光、青色光）が射出される構成とされている。
その結果、プロジェクタ１ａ〜１ｊにおいては、光源装置１００から射出される複数の色光が時系列で液晶ライトバルブ５００によって変調され、画像光として射出される。具体的には、赤色光源１０１が駆動されることで光源装置１００から赤色光が射出されている場合には、赤色調の画像光がプロジェクタ１ａ〜１ｊから投射され、スクリーン３に赤色調の画像が表示される。また、緑色光源１０２が駆動されることで光源装置１００から緑色光が射出されている場合には、緑色調の画像光がプロジェクタ１ａ〜１ｊから投射され、スクリーン３に緑色調の画像が表示される。また、青色光源１０３が駆動されることで光源装置１００から青色光が射出されている場合には、青色調の画像光がプロジェクタ１ａ〜１ｊから投射され、スクリーン３に青色調の画像表示される。なお、光源装置１００から射出される色光の種類が１回りするまでは、液晶ライトバルブ５００は、各色光を同様に輝度変調している。
そして、図４に示すように、時系列でプロジェクタ１ａ〜１ｊから赤色調の画像光と、緑色調の画像光と、青色調の画像光とが繰り返し射出されることによって、各画像光によって形成される画像がスクリーン３上で混じりあい、鑑賞者にはフルカラーの画像が視認される。
【００２４】
なお、図４に示すように、全てのプロジェクタ１ａ〜１ｊから同一色光の画像光を射出した場合には、色光が含む輝度成分の違いから、スクリーン３上の明るさが定期的に変化し、フリッカーの原因となる恐れがある。このため、図５に示すように、隣合うプロジェクタ１ａ〜１ｊから同時刻に射出される画像光の色調が異なるように、各プロジェクタ１ａ〜１ｊの光源装置１００が制御されることが好ましい。
このような構成を採用することによって、スクリーン３全体としての輝度変化量を低減することができ、フリッカーを低減させることが可能となる。
【００２５】
レンチキュラーレンズ４は、シリンドリカルレンズが短手方向に複数連接されたものであり、本実施形態においては、拡散部材であるスクリーン３を挟み込んで両側に接触配置されている。また、レンチキュラーレンズ４は、シリンドリカルレンズの長手方向が視差画像の配列方向と直交する方向（本実施形態においてはスクリーン３の上下方向）となるように配置されている。
【００２６】
プロジェクタ１側に配置されるレンチキュラーレンズ４１は、各プロジェクタ１から投射される画像がスクリーン３の横方向に分割して表示されるように、各プロジェクタ１からの画像光をスクリーン３の所定箇所に結像させる。
より詳細には、プロジェクタ１が視差画像形成方向に対応して配列されているため、各プロジェクタ１ａ〜１ｊから投射された画像光は、レンチキュラーレンズ４の各シリンドリカルレンズ４０によってスクリーン３の異なる部位に順に結像する。すなわち、各シリンドリカルレンズ４０の裏面（平らな面）と接触するスクリーン３には、そのシリンドリカルレンズ４０に入射した各プロジェクタ１ａ〜１ｊからの画像が表示される。
【００２７】
鑑賞者側に配置されるレンチキュラーレンズ４２（視差画像選択手段）は、スクリーン３上に分割表示された各プロジェクタ１ａ〜１ｊの画像を選択的に鑑賞者の右目と左目との各々に到達させるものである。
より詳細には、レンチキュラーレンズ４２は、スクリーン３上に表示された画像の光、すなわち分散光を視差画像の配列方向に指向性を持たせて射出するものである。なお、レンチキュラーレンズ４２を構成するシリンドリカルレンズ４０は、スクリーン３上に分割して表示された画像のうち、同一のプロジェクタ１から投射された画像が全て同一角度で射出されるような曲面を有している。このようなレンチキュラーレンズ４２によって、鑑賞者の右目と左目とには、各々異なるプロジェクタ１から投射された画像光が到達する。
【００２８】
ここで、本実施形態の画像表示装置Ｓ１においては、同一の物体を異なる角度から捉えた画像が視差画像として用いられているため、各プロジェクタ１から投射される画像は、同一物体を所定の角度から捉えた画像となる。このため、鑑賞者の右目と左目との各々に物体を異なる角度から捉えた画像が到達することとなり、鑑賞者が物体の立体画像を視認することができる。
また、鑑賞者が鑑賞位置を変えた場合には、また先とは異なる画像が鑑賞者の右目と左目との各々に到達するため、鑑賞者は物体の立体画像を異なる角度から視認することができる。すなわち、本実施形態の画像表示装置Ｓ１は、動的立体視が可能な構成とされている。
【００２９】
このような本実施形態の画像表示装置及び画像表示方法によれば、各プロジェクタ１ａ〜１ｊが、時系列で射出される複数の色光を変調して画像光として射出することによってスクリーン３上に視差画像を構成する１つの画像が形成される。
このため、プロジェクタ１ａ〜１ｊが色光ごとに液晶ライトバルブ５００の全領域を用いて変調することができるため、スクリーン３上に表示される画像の解像度を低下させることを防止することができる。
したがって、本発明の画像表示装置によれば、鑑賞者の表示面に対する位置に応じて鑑賞者に異なる画像を視認させる画像表示装置をカラー化した場合における表示特性の向上を図ることが可能となる。
【００３０】
また、本実施形態の画像表示装置Ｓ１によれば、光源１０１〜１０３が、間欠駆動されるため、光源１０１〜１０３の長寿命化を図ることができる。
【００３１】
また、本実施形態の画像表示装置Ｓ１においては、光源として小型のＬＥＤ光源を用いている。このため、バックフォーカスの短い短焦点レンズの採用が可能となり、広角投影が可能となる。
また、プロジェクタ内において、各色光を合成することがなく、各画像がスクリーン上で合成されるため、ダイクロイックプリズム等の合成光学系を有する必要がなく、また、この合成光学系と液晶ライトバルブとの高精度な位置合わせも必要なくなる。
また、プロジェクタ１自体が小型化されることによって、より多くのプロジェクタ１を視差画像の配列方向と対応する方向に配列することができるため、より滑らかな動的立体視を可能とすることができる。
【００３２】
（第２実施形態）
次に、本発明の第２実施形態について説明する。なお、本第２実施形態の説明において、上記第１実施形態と同様の部分については、その説明を省略あるいは簡略化する。
【００３３】
図６は、本第２実施形態の画像表示装置Ｓ２の概略構成を示した模式図である。この図に示すように、本実施形態の画像表示装置Ｓ２は、上記第１実施形態と同様にプロジェクタ１が視差画像の配列方向に応じた方向に配列されている。そして、図６に示すように、プロジェクタ１の後段に結像レンズ５が配置され、さらにその後段に一方向拡散性透明光学部材６及びスクリーン７が配置されている。
【００３４】
結像レンズ５は、各プロジェクタＲＧＢの投射レンズ６００とによってテレセントリックな結像系を構成しており、各プロジェクタＲＧＢからの画像光を方向性を持った画像光としスクリーン７上において結像可能とするものである。具体的には、結像レンズ５として、フレネルレンズを用いることができる。
【００３５】
一方向拡散性透明光学部材６は、入射される画像光を所定の一方向に拡散させて射出するものである。逆に言えば、一方向拡散性透明光学部材６は、入射される画像光の所定の一方向と直交する方向の指向性を保存した状態で、画像光を射出する。
そして、本実施形態の画像表示装置Ｓ２においては、一方向拡散性透明光学部材６によって画像光が拡散される方向は、視差画像の配列方向と直交する方向とされている。すなわち、画像光は、一方向拡散性透明光学部材６を透光した場合には、視差画像の配列方向に指向性が保存され、視差画像の配列方向と直交する方向に拡散される。このような構成を採用することによって、赤色、緑色、青色が均一に混合されて色むらが生じないようにできる。
なお、このような一方向拡散性透明光学部材６としては、シリンドリカルレンズの延在方向が横方向でかつ拡散面を有するレンチキュラーレンズや横方向にヘアーライン処理された透明光学部材等を用いることができる。
【００３６】
スクリーン７は、本実施形態の画像表示装置Ｓ２においては、反射性のスクリーンとして構成されている。
具体的には、表面が銀やアルミニウムによって反射層処理されたスクリーンを用いることができる。
【００３７】
なお、図６においては反射型のスクリーン構成で説明したが、一方向拡散性透明光学部材からなる透過型スクリーンを有する背面投影型の構成をとることもできる。この場合は視差の順番が反射の場合と逆転する。
【００３８】
このような本実施形態の画像表示装置Ｓ２においては、プロジェクタ１の各プロジェクタＲＧＢから射出された画像光が、結像レンズ５によって方向性をもった画像光となり、スクリーン７に結像し、一方向拡散性透明光学部材６によって一方向に拡散され、その後、反射されて鑑賞者に到達する。
ここで、上述のように、鑑賞者に到達する画像光は、視差画像の形成方向に指向性を有しているため、鑑賞者の右目と左目とに各々異なる画像が到達する。また、鑑賞者の位置が変化した場合には、さらに異なる画像が鑑賞者の右目と左目との各々に到達する。したがって、本実施形態の画像表示装置Ｓ２においても、鑑賞者が動的立体視可能な構成とされている。
【００３９】
そして、本実施形態の画像表示装置Ｓ２においても、上記第１実施形態の画像表示装置Ｓ１と同様に、各プロジェクタ１ａ〜１ｊが、時系列で射出される複数の色光を変調して画像光として射出することによってスクリーン７上に視差画像を構成する１つの画像が形成される。したがって、鑑賞者のスクリーンに対する位置に応じて鑑賞者に異なる画像を視認させる画像表示装置をカラー化した場合における表示特性の向上を図ることが可能となる。
【００４０】
以上、添付図面を参照しながら本発明に係る画像表示装置及び方法の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４１】
例えば、上記実施形態においては、固体発光光源としてＬＥＤ光源を例に挙げて説明した。しかしながら、本発明は、これに限定されるものではなく、信頼性及び点灯性がＬＥＤ光源と同様に高い固体発光光源（例えば、ＥＬ（エレクトロルミネッセンス）や半導体レーザ等）を用いることもできる。
【００４２】
また、図７に示すように、白色光を射出する光源７０１と白色光を赤色光、緑色光あるいは青色光に変換して射出する回転カラーホイール７０２とを備える光源装置７００を、上記光源装置１００の代わりに設置し、光源装置７００と各プロジェクタ１とを光ファイバ７０３によって接続することによって、プロジェクタ１内に光源装置７００から射出された光を分配して入射する構成を採用することもできる。
このような構成を採用した場合には、各プロジェクタに光源装置を設置する必要がなくなり、単一の光源装置を設置するのみで、各プロジェクタで用いられる色光が得られる。
【００４３】
また、非特許文献２に記載された技術を応用し、プロジェクタを上下方向にずらして配置することによって、直線状にプロジェクタを配置した場合には、プロジェクタの形状から物理的に配置不可能である間隔でプロジェクタを配置しても良い。これによって、より多くの視差画像を表示面上に表示することができるため、鑑賞者の位置変化量が小さい場合でも、鑑賞者の右目と左目とに視認される画像を変化させることが可能となり、表示特性を向上させることが可能となる。
【００４４】
また、上記実施形態においては、鑑賞者に対して立体画像を提供することを目的とした画像表示装置について説明した。しかしながら、本発明はこれに限定されるものではなく、異なる位置から鑑賞する複数の鑑賞者に対して異なるコンテンツの平面画像あるいは立体画像を提供する画像表示装置に応用することも可能である。
【００４５】
また、上記実施形態においては、光変調素子として液晶ライトバルブを採用したが、光変調素子として微小ミラーアレイデバイス等を採用することも可能である。
また、上記実施形態においては、投射レンズを用いて画像光を投射スクリーン上に投射することによって画像を表示したが、投射レンズの代わりに投射ミラーを用いることも可能である。
【図面の簡単な説明】
【００４６】
【図１】本発明の第１実施形態である画像表示装置の概略構成を模式的に示した平面図である。
【図２】本発明の第１実施形態である画像表示装置の概略構成を模式的に示した側面図である。
【図３】プロジェクタの概略構成を示した模式図である。
【図４】本発明の第１実施形態である画像表示装置の動作を説明するための説明図である。
【図５】本発明の第１実施形態である画像表示装置の動作を説明するための説明図である。
【図６】本発明の第２実施形態である画像表示装置の概略構成を示した模式図である。
【図７】本発明の画像表示装置が備える光源装置の変形例を示した図である。
【符号の説明】
【００４７】
Ｓ１，Ｓ２……画像表示装置、１（１ａ〜１ｊ）……プロジェクタ、２……制御装置、３，７……スクリーン（表示面）、４（４１，４２）……レンチキュラーレンズ、５……結像レンズ、６……一方向拡散性透明光学部材、１００，７００……光源装置
【図１】
2007072050.tif 000003
【図２】
2007072050.tif 000004
【図３】
2007072050.tif 000005
【図４】
2007072050.tif 000006
【図５】
2007072050.tif 000007
【図６】
2007072050.tif 000008
【図７】
2007072050.tif 000009